(57)【要約】【課題】噴霧ノズルの噴霧孔においてスケールが生じ難い空気調和装置の室外機を提供することを課題とする。【解決手段】本発明は、水を噴霧することによって熱交換器１３を冷却可能な空気調和装置の室外機１０であって、噴霧孔２２９、５００を有し、この噴霧孔２２９、５００から水と空気とを外部に噴霧可能な噴霧ノズル２２、５０と、水を噴霧ノズル２２、５０に供給する水供給部２４、５２と、空気を噴霧ノズル２２、５０に供給する空気供給部２６、５４と、水供給部２４、５２及び空気供給部２６、５４を制御する制御部３０と、を備え、制御部３０は、水供給部２４、５２による噴霧ノズル２２、５０への水の供給を停止させた後、噴霧孔２２９、５００から空気が噴霧されるように空気供給部２６、５４を制御することを特徴とする。【選択図】図１
2014122728.tif 000002
【特許請求の範囲】
【請求項１】
水を噴霧することによって熱交換器（１３）を冷却可能な空気調和装置の室外機（１０）であって、
噴霧孔（２２９、５００）を有し、この噴霧孔（２２９、５００）から水と空気とを外部に噴霧可能な噴霧ノズル（２２、５０）と、
前記水を前記噴霧ノズル（２２、５０）に供給する水供給部（２４、５２）と、
前記空気を前記噴霧ノズル（２２、５０）に供給する空気供給部（２６、５４）と、
前記水供給部（２４、５２）及び前記空気供給部（２６、５４）を制御する制御部（３０）と、を備え、
前記制御部（３０）は、前記水供給部（２４、５２）による前記噴霧ノズル（２２、５０）への前記水の供給を停止させた後、前記噴霧孔（２２９、５００）から前記空気が噴射されるように前記空気供給部（２６、５４）を制御する、空気調和装置の室外機。
【請求項２】
前記噴霧孔（２２９、５００）は略下方に向って開口し、
前記制御部（３０）は、前記水供給部（２４、５２）による前記噴霧ノズル（２２、５０）への前記水の供給を停止した時から所定時間経過した後、前記噴霧ノズル（２２、５０）に前記空気を供給するように前記空気供給部（２６、５４）を制御する、請求項１に記載の空気調和装置の室外機。
【請求項３】
前記噴霧ノズル（２２）は、前記空気供給部（２６）から供給された前記空気と共に前記水供給部（２４）から供給された前記水を噴霧する形状を有する、請求項１又は２に記載の空気調和装置の室外機。
【請求項４】
前記噴霧ノズル（２２）は、前記空気供給部（２６）から供給された前記空気と共に前記水供給部（２４）から供給された前記水を噴霧する形状を有し、
前記制御部（３０）は、前記水供給部（２４）による前記噴霧ノズル（２２）への前記水の供給を停止させた後、引き続き前記噴霧ノズル（２２）に前記空気が所定時間供給され続けるように前記空気供給部（２６）を制御する、請求項１に記載の空気調和装置の室外機。
【請求項５】
前記噴霧ノズル（２２）は、前記水供給部（２４）から供給された前記水を前記噴霧孔（２２９）まで案内し且つ１又は複数の貫通孔（２２３）が管壁に設けられた管形状を有する水案内部（２２２）と、前記空気供給部（２６）から供給された空気を前記貫通孔（２２３）を通じて前記水案内部（２２２）内に導入する空気導入部（２２４）と、を有する請求項３又は４に記載の空気調和装置の室外機。
【発明の詳細な説明】
【技術分野】
【０００１】
本発明は、空気調和装置の室外機に関する。
【背景技術】
【０００２】
特許文献１は、噴霧ノズルによって水を熱交換器に噴霧して当該熱交換器を補助的に冷却する噴霧装置を備えた空気調和装置の室外機を開示する。この室外機では、噴霧装置に設けられたポンプ等の水供給部によって水（例えば、地下水や水道水等）を噴霧ノズルに供給することで、噴霧ノズル（詳しくは噴霧ノズルの噴霧孔）から熱交換器に向けて水が噴霧される。
【０００３】
この室外機では、熱交換器が噴霧ノズルから噴霧された水によって冷却されるので、室外機に必要とされる動力（消費電力）を削減する効果が得られる。
【先行技術文献】
【特許文献】
【０００４】
【特許文献１】特許第４２６６００７号公報
【発明の概要】
【発明が解決しようとする課題】
【０００５】
しかし、上記の空気調和装置の室外機では、熱交換器への水の噴霧を停止した後、噴霧ノズルの噴霧孔に残った水が蒸発するときに、この水に含まれるシリカ（ＳｉＯ２）や炭酸カルシウム等がスケールとして析出し、このスケールによって噴霧孔の径が小さくなる場合があった。
【０００６】
そこで、本発明は、上記問題に鑑み、噴霧ノズルの噴霧孔においてスケールが生じ難い空気調和装置の室外機を提供することを目的とする。
【課題を解決するための手段】
【０００７】
上記課題を解消すべく、本発明は、水を噴霧することによって熱交換器（１３）を冷却可能な空気調和装置の室外機（１０）であって、噴霧孔（２２９、５００）を有し、この噴霧孔（２２９、５００）から水と空気とを外部に噴霧可能な噴霧ノズル（２２、５０）と、前記水を前記噴霧ノズル（２２、５０）に供給する水供給部（２４、５２）と、前記空気を前記噴霧ノズル（２２、５０）に供給する空気供給部（２６、５４）と、前記水供給部（２４、５２）及び前記空気供給部（２６、５４）を制御する制御部（３０）と、を備える。そして、前記制御部（３０）は、前記水供給部（２４、５２）による前記噴霧ノズル（２２、５０）への前記水の供給を停止させた後、前記噴霧孔（２２９、５００）から前記空気が噴射されるように前記空気供給部（２６、５４）を制御する。
【０００８】
かかる構成によれば、噴霧ノズル（２２、５０）からの水の噴霧が停止したとき（即ち、噴霧ノズル（２２、５０）への水の供給を停止したとき）に、噴霧孔（２２９、５００）に残っていた水が空気の噴射によって噴霧孔（２２９、５００）から吹き飛ばされるため、噴霧孔（２２９、５００）に残った水の蒸発に起因する噴霧孔（２２９、５００）でのスケールの析出を効果的に防ぐことができる。
【０００９】
本発明に係る空気調和装置の室外機（１０）において、前記噴霧ノズル（２２、５０）の噴霧孔（２２９、５００）は略下方に向って開口し、前記制御部（３０）は、前記水供給部（２４、５２）による前記噴霧ノズル（２２、５０）への前記水の供給を停止した時から所定時間経過した後、前記噴霧ノズル（２２、５０）に前記空気を供給するように前記空気供給部（２６、５４）を制御してもよい。
【００１０】
このような略下方に向けて水を噴霧する噴霧ノズル（２２、５０）では、水の噴霧停止後、噴霧ノズル（２２、５０）の内部に残った水が重力によって噴霧孔（２２９、５００）に集まる（溜まる）ため、水の噴霧停止時から所定時間経過するまで空気の供給も停止することにより、噴霧ノズル（２２、５０）の内部に残った水を噴霧孔（２２９、５００）に集めることができる。そして、このように噴霧ノズル（２２、５０）内に残った水が噴霧孔（２２９、５００）に集まってから空気を噴霧して集まった水を吹き飛ばすことにより、水の噴霧停止時に噴霧孔（２２９、５００）に残った水に加えて噴霧ノズル（２２、５０）内部に残った水も外部に効果的に吹き飛ばすことができる。その結果、噴霧孔（２２９、５００）におけるスケールの析出をより確実に防ぐことができる。
【００１１】
前記空気調和装置の室外機（１０）において、前記噴霧ノズル（２２）が前記空気供給部（２６）から供給された前記空気と共に前記水供給部（２４）から供給された前記水を噴霧する形状を有していれば（即ち、噴霧ノズル（２２）がいわゆる二流体ノズルであれば）、新たな空気供給部を設けなくても、水の噴霧に用いる空気を噴霧ノズル（２２）に供給する空気供給部（２６）を利用して、水の噴霧停止後に噴霧孔（２２９）に残った水を吹き飛ばすことができる。
【００１２】
また、前記空気調和装置の室外機（１０）において、前記噴霧ノズル（２２）が、前記空気供給部（２６）から供給された前記空気と共に前記水供給部（２４）から供給された前記水を噴霧する形状を有する場合に、前記制御部（３０）が、前記水供給部（２４）による前記噴霧ノズル（２２）への前記水の供給を停止させた後、引き続き前記噴霧ノズル（２２）に前記空気が所定時間供給され続けるように前記空気供給部（２６）を制御してもよい。
【００１３】
かかる構成によっても、新たな空気供給部を設けなくても、水の噴霧に用いる空気を噴霧ノズル（２２）に供給する空気供給部（２６）を利用して、水の噴霧停止後に噴霧孔（２２９）に残った水を吹き飛ばすことができる。
【００１４】
しかも、噴霧ノズル（２２）への水の供給の停止よりも空気の供給の停止を遅らせるだけの簡単な制御によって、水の噴霧を停止したときに噴霧孔（２２９）に残っていた水を吹き飛ばして噴霧孔（２２９）でのスケールの析出を防止することができる。
【００１５】
また、噴霧ノズル（２２）が空気と共に水を噴霧する形状（即ち、二流体ノズル）である場合、例えば、前記噴霧ノズル（２２）が、前記水供給部（２４）から供給された前記水を前記噴霧孔（２２９）まで案内し且つ１又は複数の貫通孔（２２３）が管壁に設けられた管形状を有する水案内部（２２２）と、前記空気供給部（２６）から供給された空気を前記貫通孔（２２３）を通じて前記水案内部（２２２）内に導入する空気導入部（２６）と、を有していれば、貫通孔（２２３）におけるスケールの析出も防ぐことができる。即ち、上記の構成によれば、噴霧孔（２２９）に残った水を吹き飛ばすために、水の供給を停止してから所定時間経過後に空気供給部（２６）によって空気を供給する、又は、水の供給停止後に引き続き空気供給部（２６）によって空気を供給し続けることで、水案内部（２２２）の管壁に設けられた貫通孔（２２３）に残った水も前記空気によって吹き飛ばすことができ、これにより、当該貫通孔（２２３）におけるスケールの析出も防ぐことができる。
【発明の効果】
【００１６】
以上より、本発明によれば、噴霧ノズルの噴霧孔においてスケールが生じ難い空気調和装置の室外機を提供することができる。
【図面の簡単な説明】
【００１７】
【図１】本実施形態に係る室外機を示す概略構成図である。
【図２】前記室外機における熱交換器及び噴霧ノズルの配置状態を示す斜視図である。
【図３】前記噴霧ノズルを示す断面図である。
【図４】他実施形態の噴霧ノズルを示す断面図である。
【図５】他実施形態の噴霧ノズルと、この噴霧ノズルに接続される水供給部及び空気供給部とを説明するための図である。
【発明を実施するための形態】
【００１８】
以下、本発明の一実施形態について、図１〜図４を参照しつつ説明する。図１は、本実施形態に係る室外機を示す概略構成図であり、図２は、前記室外機における熱交換器及び噴霧ノズルの配置状態を示す斜視図であり、図３は、前記噴霧ノズルを示す断面図である。また、図４は、他実施形態の噴霧ノズルを示す断面図である。
【００１９】
本実施形態に係る室外機は、例えば、空気調和装置に用いられる。この空気調和装置は、図１及び図２に示される室外機と、図略の室内機と、これらを接続する図略の冷媒配管とを備えている。
【００２０】
室外機１０は、ケース１２と、熱交換器１３と、送風機１４と、圧縮機１６と、温度センサ１８と、噴霧装置２０と、室外機制御部（制御部）３０と、を備える。熱交換器１３、送風機１４、圧縮機１６、及び室外機制御部３０は、ケース１２内に配置されている。尚、図１では、説明の便宜のため、熱交換器１３の一部と、噴霧装置２０の一部とが省略されている。また、図２では、噴霧装置２０の噴霧ノズル２２に接続される水用流路部２４０やエア用流路部２６０等が省略されている。
【００２１】
熱交換器１３は、冷媒が内部を流れる伝熱管（図示省略）と、前記伝熱管が貫通する多数のプレートフィン（図示省略）と、を備える。この熱交換器１３では、伝熱管内を流れる冷媒とプレートフィン同士の間を流れる外気（空気）とが、伝熱管の管壁とプレートフィンとを介して熱交換を行う。本実施形態の熱交換器１３は、例えば、クロスフィンコイル式の熱交換器である。尚、熱交換器は、クロスフィンコイル式に限定されず、他の方式であってもよい。
【００２２】
この熱交換器１３は、ケース１２の底板１２ａ上に立設されている。例えば、熱交換器１３は、ケース１２を構成する側面板１２ｂ及び背面板１２ｃに沿う形状を有している。即ち、熱交換器１３は、平面視において、Ｌ字状又はＵ字状に配置されている。尚、外気がケース１２内部に流入できるよう、ケース１２の側面板１２ｂ及び背面板１２ｃにおける熱交換器１３と対向する領域に開口（図示省略）が設けられている。
【００２３】
送風機１４は、空気の流れを形成して熱交換器１３に空気（外気、冷却用空気）を供給（送風）する。この送風機１４は、羽根車１４ａと、この羽根車１４ａを回転させるモータ（図示省略）とを備える。本実施形態の送風機１４は、ケース１２の天板１２ｄに配置されている。これにより、送風機１４は、外気を側面板１２ｂ及び背面板１２ｃにおける熱交換器１３と対向する領域に設けられた前記開口からケース１２内に引き込むと共に、熱交換器１３と熱交換した後の空気を天板１２ｄ側から上方に向けて排出する。尚、ケース１２の内部と外部とを連通する開口（図示省略）が、天板１２ｄにおける送風機１４（羽根車１４ａ）の対面する位置に設けられている。
【００２４】
送風機１４として、例えば、遠心送風機、軸流送風機、斜流送風機等が用いられるが、これらに限定されない。
【００２５】
圧縮機１６は、当該圧縮機１６の駆動によって、室外機１０を備えた空気調和装置（冷媒回路）において冷媒を循環させる。
【００２６】
温度センサ１８は、室外機制御部３０に接続され、ケース１２内に吸気される外気の温度を計測して計測結果に応じた外気温信号を出力する。
【００２７】
噴霧装置２０は、空気調和装置の冷房運転時に水を噴霧することによって、熱交換器１３に向かう（供給される）外気を冷却する。この熱交換器１３に向かう外気の流れは、上記の送風機１４の駆動によって形成されている。噴霧装置２０は、複数の噴霧ノズル（二流体ノズル）２２と、水供給機構（水供給部）２４と、エア供給機構（空気供給部）２６と、を備える。この噴霧装置２０は、水を霧状に噴霧して熱交換器１３を補助的（間接的）に冷却することにより、空気調和装置の冷房能力を向上させる。
【００２８】
本実施形態の室外機１０では、水供給機構２４とエア供給機構２６とが各噴霧ノズル２２にそれぞれ接続されている。図１では、一つの噴霧ノズル２２と、この噴霧ノズル２２に接続された水供給機構２４、及びエア供給機構２６を示し、他の噴霧ノズル２２及びこれに接続される水供給機構２４、及びエア供給機構２６の図示を省略している。これら他の噴霧ノズル２２及びこれらに接続される水供給機構２４、及びエア供給機構２６の構成は、図１に示されるものと同様であるため説明を省略する。
【００２９】
各噴霧ノズル２２は、熱交換器１３を冷却するための水（水滴）を噴霧するノズルである。この噴霧ノズル２２は、図３にも示されるように、胴部２２０と、この胴部２２０の先端（水の流れ方向における下流側：本実施形態においては下端）に設けられるオリフィス部２２１と、をそれぞれ有する。
【００３０】
胴部２２０は、水案内管（水案内部）２２２と、空気案内管（空気導入部）２２４と、を有する。この胴部２２０は、水供給機構２４から供給された水、及びエア供給機構２６から供給された空気をオリフィス部２２１（詳しくは、噴霧部２２８）まで案内する。
【００３１】
水案内管２２２は、水供給機構２４から供給された水をオリフィス部２２１（噴霧部２２８）まで案内する流路を形成する。この水案内管２２２は、管形状を有する。具体的に、水案内管２２２は、噴霧軸（図３における上下方向の軸）Ｃを周方向に囲む円柱面状の内周面２２５ａと、その径方向外側において当該内周面２２５ａと同心となるように配置される円柱面状の外周面２２５ｂとを有する管部材である。この水案内管２２２は、内周面２２５ａによって規定される内部空間（水流路）を通じて水をオリフィス部２２１（噴霧部２２８）まで案内する。本実施形態の水案内管２２２は、下方に設けられたオリフィス部２２１に向けて水を垂直下方に案内する。
【００３２】
水案内管２２２の基端（水の流れ方向における上流端：本実施形態では上端）２２２ｂは後述の水用流路部２４０の下流端に接続される。また、水案内管２２２の先端（水の流れ方向における下流端：本実施形態では下端）２２２ａはオリフィス部２２１（噴霧部２２８）に接続されている。この水案内管２２２は、先端側の部位である噴霧側部位２２２Ａと、その上流側に隣接する部位である空気導入部位２２２Ｂとを含む。
【００３３】
空気導入部位２２２Ｂは、エア供給機構２６から供給された空気（噴霧用空気）を水案内管２２２内に導入する部位である。この空気導入部位２２２Ｂでは、水案内管２２２の内側と外側とを連通する複数のエア導入孔２２３がその管壁に形成され、空気がこのエア導入孔２２３を通じて水案内管２２２内に導入（供給）される。本実施形態では、例えば、水案内管２２２の周方向において等間隔となるように形成された複数（図３に示す例では４箇所）のエア導入孔２２３、２２３、…を一組とし、この組みが水案内管２２２の噴霧軸Ｃ方向に等間隔となるように複数個所（図３に示す例では３箇所）に配置されている。
【００３４】
噴霧側部位２２２Ａは、水案内管２２２における空気導入部位２２２Ｂより先端側の部位であり、水と空気（二流体）がオリフィス部２２１（噴霧部２２８）に向かって流れる部位（領域）である。本実施形態の噴霧側部位２２２Ａでは、空気（気相）が水案内管２２２内（内部空間）の中央部を流れ且つ水（液相）が水案内管２２２の内周面に沿って流れる環状流となる。
【００３５】
空気案内管２２４は、水案内管２２２の径方向外側に配置される管である。この空気案内管２２４は、水案内管２２２の外径よりも大きな内径を有し、水案内管２２２の中心軸（噴霧軸Ｃ）と当該空気案内管２２４の中心軸とが一致するように配置されている。
【００３６】
この空気案内管２２４の軸方向の長さ寸法は、水案内管２２２の軸方向の長さ寸法より小さい。そして、空気案内管２２４の先端（下端）２２４ａが、水案内管２２２の先端（下端）２２２ａと同様に、オリフィス部２２１（板状のオリフィス部２２１の裏面２２１ｂ）に接続されている。このため、水案内管２２２の基端（上端）２２２ｂは、空気案内管２２４の基端（上端）２２４ｂから噴霧軸Ｃ方向（上方に）に突出している。空気案内管２２４の基端部２２４ｂでは、閉塞部材２２６ａが空気案内管２２４の内周面と水案内管２２２の外周面２２５ｂとの間隙を塞いでいる。
【００３７】
胴部２２０において、閉塞部材２２６ａ、水案内管２２２の外周面２２５ｂ、空気案内管２２４の内周面、及びオリフィス部２２１によって囲まれた空間が、エア供給機構２６から供給された空気を水案内管２２２の空気導入部位２２２Ｂに設けられた孔２２３まで案内する流路となる。
【００３８】
また、空気案内管２２４は、エア供給機構２６（詳しくはエア用流路部２６０）が接続される接続部２２６ｂを有する。この接続部２２６ｂに接続されたエア供給機構２６から供給された空気が、当該接続部２２６ｂを介して前記空気流路内に導入される。
【００３９】
尚、胴部２２０における噴霧側部位２２２Ａと空気導入部位２２２Ｂとは、上記の構成（二重管構造）に限定されない。例えば、図４に示されるように、空気案内管２２４Ａの先端が水案内管２２２Ｃに接続された構成の場合、水案内管２２２Ｃにおいて、空気案内管２２４Ａの先端が接続された位置よりも下流側の部位が噴霧側部位２２２Ａである。また、空気案内管２２４Ａの先端部が空気導入部位２２２Ｂとなる。この図４の例では、水案内管２２２Ｃの先端部（テーパ形状の部位）がオリフィス部２２１Ａである。
【００４０】
図３に戻り、オリフィス部２２１は、胴部２２０（詳しくは、水案内管２２２）によって案内された水を、空気と共に外部（噴霧ノズル２２の外部）に噴霧させる。本実施形態のオリフィス部２２１は、円板形状の部材である。以下では、このオリフィス部２２１の径方向外側の部位を閉塞部２２７と称し、この閉塞部２２７の径方向内側の部位を噴霧部２２８と称する。詳しくは、閉塞部２２７は、オリフィス部２２１において、水案内管２２２の内周面２２５ａよりも径方向外側の部位である。また、噴霧部２２８は、オリフィス部２２１において、閉塞部２２７よりも径方向内側の部位である。尚、本実施形態では、閉塞部２２７と噴霧部２２８とが一体となってオリフィス部２２１を構成しているが、この構成に限定されない。閉塞部と噴霧部とが別体であってもよい。
【００４１】
閉塞部２２７は、胴部２２０において、水案内管２２２の外周面２２５ｂと空気案内管２２４の内周面との間に形成された流路の先端側（噴霧部側）の端を閉塞する。即ち、閉塞部２２７は、水案内管２２２と空気案内管２２４との先端２２２ａ、２２４ａ位置において、水案内管２２２の外周面２２５ｂと空気案内管２２４の内周面との間隙を塞ぐ（閉塞する）。
【００４２】
噴霧部２２８は、水と空気とを外部に噴霧可能な噴霧孔２２９を有する。この噴霧孔２２９は、水案内管２２２の内周面（２２５ａ）によって規定される（囲まれる）流路と噴霧ノズル２２の外部とを軸方向（噴霧軸Ｃ方向）に連通し、円柱面２２８Ａによって規定されている。即ち、噴霧部２２８は、噴霧孔２２９を形成する円柱面２２８Ａを有する。この噴霧孔２２９の内径は、水案内管２２２の内周面２２５ａの内径より小さい。また、噴霧部２２８は、円柱面２２８Ａの上流側（本実施形態では上方側）に、テーパ面２２８Ｂを有する。このテーパ面２２８Ｂは、水案内管２２２の内周面２２５ａと円柱面２２８Ａとを連接し且つ前記内周面２２５ａから円柱面２２８Ａに向かって内径が小さくなっている。
【００４３】
以上のように構成される噴霧ノズル２２は、以下のように配置される。
【００４４】
複数の噴霧ノズル２２、２２、…は、ケース１２の側面板１２ｂ及び背面板１２ｃ、又はケース１２に別途設けられた図略の支持部材によって支持されている。各噴霧ノズル２２は、送風機１４によって形成される気流の流れ方向において、熱交換器１３に対して上流側に配置されている。本実施形態では、各噴霧ノズル２２は、室外機１０における熱交換器１３より外側で且つ上側の位置において、水滴を下方に向かって噴霧する姿勢となるように配置されている。即ち、各噴霧ノズル２２は、その軸方向（又は噴霧軸Ｃ）が熱交換器１３に向かう略水平方向の外気（空気）の流れと略直交するような姿勢で配置されている。このように配置された各噴霧ノズル２２から噴霧される水滴は、下方に向かって放射状に拡散しつつ前記空気の流れによって熱交換器１３に向かって移動する。このとき、噴霧された水滴の全部又はその大半が熱交換器１３に到達する前に気化し、この気化の際の気化熱によって熱交換器１３に向かう空気が冷却される。
【００４５】
複数の噴霧ノズル２２は、噴霧装置２０による冷却効果が熱交換器１３のほぼ全体にわたって及ぼされるように配置されている。具体的に、複数の噴霧ノズル２２は、図２に示されるように、熱交換器１３と対向する側面板１２ｂ及び背面板１２ｃにおいて互いに水平方向に間隔を空けて配置されている。詳しくは、複数の噴霧ノズル２２は、互いに水平方向に例えば数十センチ程度の間隔を空けて配置される。この間隔は、各噴霧ノズル２２から噴霧される水滴が拡散する範囲、即ち、熱交換器１３に向かう外気が各噴霧ノズル２２によって冷却される範囲に基づいて設定されている。本実施形態では、側面板１２ｂに１つの噴霧ノズル２２が配置され、背面板１２ｃに３つの噴霧ノズル２２、２２、２２が配置されている。各噴霧ノズル２２の高さ位置は、同じである。
【００４６】
図１に戻り、水供給機構２４は、例えば水道やタンク等の水供給源Ｔから噴霧ノズル２２まで水を案内する流路を形成する水用流路部２４０と、水用流路部２４０内を流れる水を噴霧ノズル２２に向けて加圧する水用ポンプ２４２と、を有する。
【００４７】
エア供給機構２６は、外気（空気）を噴霧ノズル２２まで案内する流路を形成するエア用流路部２６０と、外気をエア用流路部２６０内に引き込んで噴霧ノズル２２まで送り出すエア用ポンプ（エアコンプレッサー）２６２と、を有する。エア用流路部２６０の先端は、噴霧ノズル２２の胴部２２０（詳しくは接続部２２６ｂ）に接続される。
【００４８】
以上の水供給機構２４の水用ポンプ２４２、及びエア供給機構２６のエア用ポンプ２６２は、室外機制御部３０に接続され、室外機制御部３０からの制御信号に基づいて駆動する。
【００４９】
室外機制御部３０は、温度センサ１８によって検出された外気温度が所定の温度（本実施形態では例えば３５℃）以上に達したことを検知すると、冷房運転の負荷が所定のレベルを超えたと判断する。そして、室外機制御部３０は、このように判断すると、水用ポンプ２４２とエア用ポンプ２６２とを駆動させ、噴霧装置２０（各噴霧ノズル２２）から水を噴霧させる。このとき、例えば、室外機制御部３０は、所定時間、各噴霧ノズル２２から連続的又は間欠的に水が噴霧されるように各ポンプ２４２、２６２を駆動させる。
【００５０】
室外機制御部３０は、噴霧装置２０によって水を噴霧させるときに、水が水案内管２２２に０．０１〜０．１ｍ／ｓｅｃで供給されるように水用ポンプ２４２を制御すると共に、空気が空気案内管２２４に０．８〜３ｍ／ｓｅｃで供給されるようにエア用ポンプ２６２を制御する。換言すると、室外機制御部３０は、水の供給量と空気の供給量の割合が重量比（空気の重量／水の重量）で例えば０．１以下となるように、水用ポンプ２４２とエア用ポンプ２６２とを制御する。重量比がこの範囲に調節されることにより、空気を供給するのに必要な動力を小さく抑えることができる。尚、従来の二流体ノズルでは、空気の圧力によって水に剪断力を加えて水滴を微細化しているため高速の空気を噴射させる必要があり、重量比（空気の重量／水の重量）が０．４以上となる。このため、従来の二流体ノズルでは、本実施形態の室外機１０に比べ、空気を供給するのに必要な動力が大きくなる。
【００５１】
また、室外機制御部３０は、噴霧装置２０（噴霧ノズル２２）による水の噴霧を停止したとき、即ち、水供給機構２４（水用ポンプ２４２）による各噴霧ノズル２２への水の供給を停止したときに、噴霧部２２８（噴霧孔２２９）から空気が噴霧されるようにエア供給機構２６（エア用ポンプ２６２）を制御する。詳しくは、以下の通りである。
【００５２】
室外機制御部３０は、噴霧装置２０による水の噴霧を停止するときに、駆動していた両ポンプ（水用ポンプ２４２及びエア用ポンプ２６２）のうちの水用ポンプ２４２のみを停止させる。このように、噴霧ノズル２２に対する空気の供給が続けられた状態で水の供給のみが停止すると、各噴霧ノズル２２の噴霧孔２２９からは空気が噴射され続ける。このとき、噴霧孔２２９及び噴霧ノズル２２内の噴霧孔２２９周辺に残っていた水が空気によって吹き飛ばされる。これにより、噴霧ノズル２２への空気の供給を停止しても、噴霧孔２２９に残った水の蒸発に起因する噴霧孔２２９でのスケール（水に含まれるシリカ（ＳｉＯ２）や炭酸カルシウム等）の析出を防止することができる。
【００５３】
より詳しくは、噴霧ノズル２２による水の噴霧を停止するときに、水用ポンプ２４２とエア用ポンプ２６２とを同時に停止すると、噴霧孔２２９及び噴霧ノズル２２内の噴霧孔２２９周辺に水（例えば、噴霧部２２８の円柱面２２８Ａやテーパ面２２８Ｂ等に付着した水）が残り、この残った水が蒸発するときに当該水に含まれるシリカや炭酸カルシウム等がスケールとして析出して噴霧孔２２９の径が小さくなる。しかし、本実施形態の室外機１０のように、噴霧ノズル２２への水の供給停止後も空気の供給を続けて噴霧ノズル２２から空気のみを噴射させることにより、水の供給停止時に噴霧孔２２９及びその周辺に残っていた水が前記空気の噴射によって吹き飛ばされるため、噴霧孔２２９及びその周辺でのスケールの析出を効果的に防ぐことができる。
【００５４】
また、水の供給が停止されて空気のみが噴霧ノズル２２内に供給されるため、噴霧ノズル２２内の空気が流れる部位（例えば、水案内管２２２に設けられたエア導入孔２２３や、水案内管２２２の内周面２２５ａ等）に残っていた水も、空気の流れによって吹き飛ばされ、これにより、当該部位でのスケールの析出も防ぐことができる。
【００５５】
室外機制御部３０は、水用ポンプ２４２を停止させてから所定時間（例えば、３０秒〜１分：以下、「第１の時間」と称する。）経過後、エア用ポンプ２６２を停止させて噴霧ノズル２２への空気の供給を停止する。この第１の時間は、噴霧ノズル２２の形状や構成、設置状態（姿勢）等によって異なる。即ち、第１の時間は、噴霧孔２２９及びその周辺から水が十分に吹き飛ばされるように適宜設定される。
【００５６】
尚、噴霧ノズル２２による水の噴霧を停止するときの水用ポンプ２４２及びエア用ポンプ２６２の制御は、上記の制御（即ち、水用ポンプ２４２のみを先に停止させ、水用ポンプ２４２が停止してから第１の時間経過後にエア用ポンプ２６２を停止させる制御）に限定されない。室外機制御部３０は、例えば、噴霧ノズル２２からの水の噴霧を停止する際に、水用ポンプ２４２及びエア用ポンプ２６２を同時に停止し、この両ポンプ２４２、２６２を同時に停止してから所定時間（例えば、３０秒〜１分：以下、「第２の時間」と称する。）経過後、エア用ポンプ２６２を駆動させる（即ち、噴霧ノズル２２から空気を噴射させる）制御を行ってもよい。この場合、噴霧孔２２９及びその周辺でのスケールの析出をより確実に防ぐことができる。具体的には、以下の通りである。
【００５７】
本実施形態のように下方に向けて水を噴霧する噴霧ノズル２２では、水の噴霧停止後、噴霧ノズル２２の内部に水（水案内管２２２の内周面２２５ａや噴霧部２２８のテーパ面２２８Ｂ等に付着した水）が残っていた場合、この水が重力によって噴霧孔２２９に集まる（溜まる）。そこで、水の噴霧停止後、第２の時間が経過して噴霧ノズル２２内部に残った水が噴霧孔２２９に集まってから空気を噴射させることにより、噴霧ノズル２２内に残っていた水（水の供給を停止してから前記第２の時間が経過した時点で噴霧孔２２９に集まっていた水）も外部に吹き飛ばすことができ、その結果、噴霧孔２２９及びその周辺でのスケールの析出をより確実に防ぐことができる。
【００５８】
また、室外機制御部３０は、室外機１０の各構成要素の制御も行う。例えば、室外機１０を備えた空気調和装置の運転時に、室外機制御部３０は、圧縮機１６を駆動させることにより冷媒を室外機１０と室内機との間を循環させると共に、送風機１４を駆動して外気をケース１２内に引き込んで熱交換器１３を冷却する。
【００５９】
以上の室外機１０によれば、噴霧ノズル２２からの水の噴霧が停止したとき（即ち、噴霧ノズル２２への水の供給を停止したとき）に噴霧孔２２９に残っていた水（水滴）が空気の噴霧によって吹き飛ばされるため、噴霧孔２２９及びその周辺に残った水の蒸発に起因する噴霧孔２２９でのスケールの析出を効果的に防ぐことができる。
【００６０】
また、本実施形態の室外機１０のように、噴霧ノズル２２が水と共に空気も噴射するいわゆる二流体ノズルであれば、新たなエア供給機構を設けなくても、既に設けられているエア供給機構２６（即ち、水の噴霧に用いる空気を噴霧ノズル２２に供給するエア供給機構２６）を利用して、水の噴霧停止後に噴霧孔２２９に残った水を吹き飛ばすことができる。
【００６１】
また、本実施形態の室外機１０では、噴霧ノズル２２への水の供給を停止させた後、引き続き噴霧ノズル２２（噴霧孔２２９）から空気が所定時間噴射され続けるような制御、即ち、噴霧ノズル２２への水の供給の停止よりも空気の供給の停止を遅らせるだけの簡単な制御によって、水の噴霧を停止したときに噴霧孔２２９に残っていた水を吹き飛ばして噴霧孔２２９でのスケールの析出を防止することができる。
【００６２】
尚、本発明の空気調和装置の室外機は、上記実施形態に限定されるものではなく、本発明の要旨を逸脱しない範囲内において種々変更を加え得ることは勿論である。
【００６３】
上記実施形態の噴霧ノズル２２は、水滴を下方に向けて噴霧する（即ち、噴霧軸を下方に向けた）姿勢となるようにケース１２に取り付けられているが、この姿勢に限定されない。即ち、噴霧ノズル２２は、上向きに噴霧する姿勢でもよく、水平方向に噴霧する姿勢となるようにケース１２に取り付けられてもよい。
【００６４】
また、水案内管２２２の具体的形状は限定されない。本実施形態の水案内管２２２は、管材によって形成されているが、例えば、円柱面状の内周面２２５ａによって規定される孔を有していれば、ブロック状の部材等の他の形状の部材によって形成されていてもよい。
【００６５】
上記実施形態の噴霧ノズル２２は、いわゆる二流体ノズルであるが、この構成に限定されない。即ち、噴霧ノズルは、例えば一流体ノズルであってもよい。この場合、図５に示されるように、噴霧装置には、噴霧ノズル（一流体ノズル）５０に水を供給する水供給機構（水供給部）５２の他に、噴霧ノズル５０に空気を供給するためのエア供給機構（空気供給部）５４が設けられる。そして、室外機制御部３０は、噴霧ノズル５０からの水の噴霧を停止するときに、水供給機構５２による噴霧ノズル５０への水の供給を停止し、その後、エア供給機構５４によって噴霧ノズル５０への空気の供給を開始する。具体的には、室外機制御部３０は、水供給機構５２のバルブ５２０を閉じて噴霧ノズル５０への水の供給を停止した後、それまで閉じていたエア供給機構５４のバルブ５４０を開いて噴霧ノズル５０に空気の供給を開始する制御を行う。これにより、噴霧ノズル５０からの水の噴霧が停止したときに噴霧孔５００に残っていた水が空気の噴霧によって吹き飛ばされ、その結果、噴霧孔５００及びその周辺に残った水の蒸発に起因する噴霧孔５００でのスケールの析出を防ぐことができる。
【００６６】
また、上記実施形態の室外機１０では、各ポンプ２４２、２６２の停止及び駆動によって各噴霧ノズル２２への水及び空気の供給制御を行っているが、この構成に限定されない。例えば、水用流路部２４０とエア用流路部２６０とにバルブ（開閉弁）をそれぞれ設け、室外機制御部３０がこれら各バルブの開閉制御を行うことによって、各噴霧ノズル２２への水及び空気の供給制御を行ってもよい。
【００６７】
また、上記実施形態の室外機１０では、水の噴霧停止後、空気が噴霧ノズル２２から所定時間（第１の時間）連続して噴射されるが、断続的に複数回噴射されてもよい。
【符号の説明】
【００６８】
１０   室外機
１３   熱交換器
１４   送風機
１８   温度センサ
２０   噴霧装置
２２   噴霧ノズル
２２２ 水案内管（水案内部）
２２３ エア導入孔（貫通孔）
２２４ 空気案内管（空気導入部）
２２９ 噴霧孔
２４   水供給機構（水供給部）
２６   エア供給機構（空気供給部）
３０   室外機制御部（制御部）
【図１】
2014122728.tif 000003
【図２】
2014122728.tif 000004
【図３】
2014122728.tif 000005
【図４】
2014122728.tif 000006
【図５】
2014122728.tif 000007